(57)【要約】【課題】見る者に奥行きを感じさせ、粘着シールを見て楽しむことが可能な粘着シール用台紙１を提供する。【解決手段】粘着シール４の貼付・剥離が可能な台紙本体部２を有する。台紙本体部２は、複数のシール貼付部１６，１７と、このシール貼付部１６，１７の周辺環境および背景を表現するための背景部１８とを有する模型１１の展開図と同一形状に形成されている。シール貼付部１６，１７は、前記模型１１を組み立てた状態において、貼付面１６ａ，１７ａが前方を指向するように起立するとともに、互いに前後方向に離間して配置されている。【選択図】  図４
0003176813.tif 000002
【実用新案登録請求の範囲】
【請求項１】
粘着シールの貼付・剥離が可能な台紙本体部を有し、
前記台紙本体部は、複数のシール貼付部と、このシール貼付部の周辺環境および背景を表現するための背景部とを有する模型の展開図と同一形状に形成され、
前記シール貼付部は、前記模型を組み立てた状態において、貼付面が前方を指向するように起立するとともに、互いに前後方向に離間して配置されていることを特徴とする粘着シール用台紙。
【請求項２】
請求項１記載の粘着シール用台紙において、前記複数のシール貼付部のうち、相対的に後側に位置するシール貼付部の上端は、相対的に前側に位置するシール貼付部の上端より高い位置に形成されていることを特徴とする粘着シール用台紙。
【請求項３】
請求項１または請求項２記載の粘着シール用台紙において、前記模型は、前記シール貼付部を左右両側方から囲む一対の側壁部と、これらの側壁部の上端どうしを接続する上壁部とを有する箱状に形成されていることを特徴とする粘着シール用台紙。
【請求項４】
請求項１ないし請求項３のうちいずれか一つに記載の粘着シール用台紙において、前記シール貼付部は、前記台紙本体部に設けられている平板状部分の一部を切り起こすことによって形成されていることを特徴とする粘着シール用台紙。
【請求項５】
請求項４記載の粘着シール用台紙において、前記複数のシール貼付部のうち、相対的に後側に位置するシール貼付部は、相対的に前側に位置するシール貼付部とは前方から見て重なることがないように左右方向において異なる位置に設けられていることを特徴とする粘着シール用台紙。
【請求項６】
請求項４または請求項５記載の粘着シール用台紙において、前記シール貼付部を有する前記平板状部分は、後上がりに傾斜していることを特徴とする粘着シール用台紙。
【考案の詳細な説明】
【技術分野】
【０００１】
本考案は、粘着シールを立体的に配置する粘着シール用台紙に関するものである。
【背景技術】
【０００２】
従来、いわゆるデコレーションシールと呼ばれる粘着シールは、台紙に貼り付けた状態で見て楽しむこともできるものである。この種の従来の粘着シール用台紙としては、例えば特許文献１に記載されているものがある。
特許文献１に記載されている粘着シール用台紙は、景色が描かれた平面ベース厚紙と、この平面ベース厚紙の後端から上方に延びる背景ベース厚紙とを備えている。
前記平面ベース厚紙には、粘着シールを貼り付けるためのシール貼付部が設けられている。このシール貼付部は、平面ベース厚紙上に破線で囲まれて他の部分とは区別されている。すなわち、粘着シールは、上方を指向するように、平面ベース厚紙の表面に貼付けられる。
【先行技術文献】
【特許文献】
【０００３】
【特許文献１】実開平５−６２３００号公報
【考案の概要】
【考案が解決しようとする課題】
【０００４】
特許文献１に記載された粘着シール台紙では、必ずしも貼付けられた粘着シールを見て楽しむことはできなかった。この理由は、貼り付けられた粘着シールが上方を指向しており、これを見る者に奥行きを感じさせることができないからであると考えられる。
【０００５】
本考案はこのような問題を解消するためになされたもので、見る者に奥行きを感じさせ、貼り付けられた粘着シールを見て楽しむことが可能な粘着シール用台紙を提供することを目的とする。
【課題を解決するための手段】
【０００６】
この目的を達成するために、本考案に係る粘着シール用台紙は、粘着シールの貼付・剥離が可能な台紙本体部を有し、前記台紙本体部は、複数のシール貼付部と、このシール貼付部の周辺環境および背景を表現するための背景部とを有する模型の展開図と同一形状に形成され、前記シール貼付部は、前記模型を組み立てた状態において、貼付面が前方を指向するように起立するとともに、互いに前後方向に離間して配置されていることを特徴とするものである。
【０００７】
本考案は、前記考案において、前記複数のシール貼付部のうち、相対的に後側に位置するシール貼付部の上端は、相対的に前側に位置するシール貼付部の上端より高い位置に形成されていることを特徴とする。
【０００８】
本考案は、前記考案において、前記模型は、前記シール貼付部を左右両側方から囲む一対の側壁部と、これらの側壁部の上端どうしを接続する上壁部とを有する箱状に形成されていることを特徴とする。
【０００９】
本考案は、前記考案において、前記シール貼付部は、前記台紙本体部に設けられている平板状部分の一部を切り起こすことによって形成されていることを特徴とする。
【００１０】
本考案は、前記考案において、前記複数のシール貼付部のうち、相対的に後側に位置するシール貼付部は、相対的に前側に位置するシール貼付部とは前方から見て重なることがないように左右方向において異なる位置に設けられていることを特徴とする。
【００１１】
本考案は、前記考案において、前記シール貼付部を有する前記平板状部分は、後上がりに傾斜していることを特徴とする。
【考案の効果】
【００１２】
本考案においては、シール貼付部に貼付けられた粘着シールは、前方を指向するとともに、前後方向に離間して位置するようになる。このため、この考案による粘着シール用台紙は、粘着シールが背景の中に配置された情景模型を形成可能なものとなる。したがって、本考案によれば、粘着シールが奥行きをもって立体的に配置されるから、貼付けられた粘着シールを見て楽しむことが可能な粘着シール用台紙を提供することができる。
【図面の簡単な説明】
【００１３】
【図１】本考案の第１の実施の形態による粘着シール用台紙の平面図で、同図は箱状に組み立てられる以前の状態を示している。
【図２】剥離紙に貼り付けられた粘着シールの平面図である。
【図３】本考案の第１の実施の形態による粘着シール用台紙の斜視図で、同図は箱状に組み立てられた状態を示している。
【図４】本考案の第１の実施の形態による粘着シール用台紙に粘着シールを貼り付けた状態を示す斜視図である。
【図５】本考案の第２の実施の形態による粘着シール用台紙の平面図で、同図は箱状に組み立てられる以前の状態を示している。
【図６】本考案の第２の実施の形態による粘着シール用台紙の斜視図で、同図は箱状に組み立てられた状態を示している。
【図７】本考案の第２の実施の形態による粘着シール用台紙に粘着シールを貼り付けた状態を示す斜視図である。
【考案を実施するための形態】
【００１４】
（第１の実施の形態）
以下、本考案に係る粘着シール用台紙の一実施の形態を図１〜図４によって詳細に説明する。
図１に示す粘着シール用台紙１は、同図において右下がりのハッチングによって示す台紙本体部２と、同図において左下がりのハッチングによって示す不要部３とによって構成されている。この粘着シール用台紙１の表面は、粘着シール４（図２参照）の貼付・剥離が可能に形成されている。
【００１５】
粘着シール４は、剥離紙５に予め貼り付けられており、粘着シール用台紙１に貼り付けるものを選ぶことができるように、複数種類用意されている。この実施の形態による粘着シール４は、ストーリーをもたせることができるように、主人公に相当するキャラクターシール４Ａと、キャラクターに関連するアイテムシール４Ｂと、キャラクターの周辺環境や背景などを表現するための背景シール４Ｃなどによって構成されている。
【００１６】
この実施の形態による前記台紙本体部２は、図３に示す模型１１の展開図と同一形状に形成されている。この台紙本体部２は、粘着シール用台紙１から前記不要部３を取り除くことによって使用可能な状態になる。前記不要部３は、鋏を使わなくても手で簡単に外すことができるように、例えばミシン目（図示せず）を介して台紙本体部２に接続することができる。
【００１７】
図３に示す模型１１は、台紙本体部２を図１中に破線で示す折り線１２で折って作られた立体模型である。この模型１１は、前方に向けて開口する箱状に形成されている。すなわち、この模型１１は、左右両側に位置する側壁部１３，１４と、これらの側壁部１３，１４の上端どうしを接続する上壁部１５と、前記両側壁部１３，１４どうしの間に位置する前側シール貼付部１６および後側シール貼付部１７と、前記箱の内側底部に位置する背景部１８とを備えている。前記両側壁部１３，１４は、前側シール貼付部１６と後側シール貼付部１７とを左右両側方から囲むように形成されている。
【００１８】
前記前側シール貼付部１６と後側シール貼付部１７は、前記模型１１を組み立てた状態において、貼付面１６ａ，１７ａが前方を指向するように起立するとともに、互いに前後方向に離間して配置されている。この実施の形態においては、前記前側シール貼付部１６によって、本考案でいう「相対的に前側に位置するシール貼付部」が構成されている。また、この実施の形態においては、前記後側シール貼付部１７によって、本考案でいう「相対的に後側に位置するシール貼付部」が構成されている。
【００１９】
この実施の形態による前記前側シール貼付部１６は、前記模型１１の下端部近傍に位置しており、前記模型１１の前端面の一部を構成している。
前記後側シール貼付部１７は、前記前側シール貼付部１６と前記背景部１８との間に位置している。この後側シール貼付部１７は、前記模型１１の下端部から上方に延びるように形成されている。この実施の形態による後側シール貼付部１７の上下方向の長さは、前側シール貼付部１６の上下方向の長さより長く形成されている。すなわち、後側シール貼付部１７の上端は、前側シール貼付部１６の上端より高い位置に形成されている。
【００２０】
前記前側シール貼付部１６には、図４に示すように、前記キャラクターシール４Ａと、アイテムシール４Ｂおよび小型の背景シール４Ｃなどが貼り付けられている。後側シール貼付部１７は、アイテムシール４Ｂや相対的に大きい背景シール４Ｃなどを貼り付けることができる。
前記背景部１８は、前記シール貼付部１６，１７の周辺環境および背景を表現するためのものである。この背景部１８には、図４に示すように、複数の背景シール４Ｃを貼り付けることができる。
【００２１】
このように構成された粘着シール用台紙１の前側シール貼付部１６と後側シール貼付部１７とに貼付けられた粘着シール４は、前方を指向するとともに、前後方向に離間して位置するようになる。このため、この実施の形態による粘着シール用台紙１は、粘着シール４が背景の中に配置された情景模型を形成可能なものである。したがって、この実施の形態によれば、粘着シール４が奥行きをもって立体的に配置されるから、貼付けられた粘着シール４を見て楽しむことが可能な粘着シール用台紙を提供することができる。
【００２２】
この実施の形態による前記複数のシール貼付部（前側シール貼付部１６と後側シール貼付部１７）のうち、相対的に後側に位置する後側シール貼付部１７の上端は、相対的に前側に位置する前側シール貼付部１６の上端より高い位置に形成されている。このため、後側シール貼付部１７は、前側シール貼付部１６より高い位置に粘着シール４を貼ることができるものとなる。したがって、この実施の形態によれば、二つのシール貼付部が前後方向に並ぶ構成を採っているにもかかわらず、後側シール貼付部１７に貼付けられた粘着シール４を前方から確実に見ることができる。
【００２３】
この実施の形態による前記台紙本体部２からなる前記模型１１は、前記シール貼付部１６，１７を左右両側方から囲む一対の側壁部１３，１４と、これらの側壁部１３，１４の上端どうしを接続する上壁部１５とを有する箱状に形成されている。このため、この実施の形態によれば、図示してはいないが、複数の粘着シール用台紙１（箱状の模型１１）を上下方向および左右方向に重ねて並べることが可能になるから、多くの種類の粘着シールを集めて飾る楽しむことが可能になる。また、両側壁部１３，１４の内側面と、上壁部１５の下面とにも他の粘着シール４を貼り付けることができるから、粘着シール４を貼り付けるスペースが広くなり、粘着シール４を貼り付けるにあたってストーリーをもたせることが容易になるという利点もある。
【００２４】
（第２の実施の形態）
本考案に係る粘着シール用台紙は図５〜図７に示すように構成することができる。図５〜図７において、前記図１〜図４によって説明したものと同一もしくは同等の部材については、同一符号を付し詳細な説明を適宜省略する。
【００２５】
図５に示す粘着シール用台紙２１は、第１〜第９のシール貼付部２２〜３０を備えている。これらの第１〜第９のシール貼付部２２〜３０は、図６に示すように、台紙本体部２に設けられている平板状部分３１の一部を切り起こすことによって形成されている。
前記平板状部分３１は、箱状に組み立てられた台紙本体部２の一方の側壁部１３と他方の側壁部１４との間に架け渡されている。また、この平板状部分３１の前後方向の長さは、台紙本体部２が箱状に組み立てられた状態において、箱の前端から背景部１８に達するような長さに形成されている。さらに、この平板状部分３１は、前記箱の前端の下端部から背景部１８の上下方向の中央部まで後上がりに傾斜している。
【００２６】
前記第１〜第９のシール貼付部２２〜３０を形成するためには、前記平板状部分３１に予めＵ字状のスリット３２を形成しておき、このスリット３２の内側に形成された紙片３３を上方に向けて折り曲げることによって行う。このように紙片３３が折り曲げられることにより、各シール貼付部２２〜３０の貼付面２２ａ〜３０ａ（図６参照）が前方を指向するようになる。
【００２７】
第１〜第９のシール貼付部２２〜３０は、互いに前後方向に離間して配置されている。すなわち、最も前に位置する第１、第２のシール貼付部２２，２３が左右方向に並ぶ状態で配置され、この後に第３、第４のシール貼付部２４，２５が左右方向に並ぶように配置されている。さらに、第３、第４のシール貼付部２４，２５の後に第５〜第７のシール貼付部２６〜２８が左右方向に並ぶように配置され、その後に第８、第９のシール貼付部２９，３０が左右方向に並ぶように配置されている。
【００２８】
このように第１〜第９のシール貼付部２２〜３０が前後方向に離間して配置されていることにより、第１〜第９のシール貼付部２２〜３０の個々の大きさが同一であったとしても、後側に位置するシール貼付部の上端は前側に位置するシール貼付部の上端より高い位置に形成されるようになる。
また、第１〜第９のシール貼付部２２〜３０は、少なくとも左右方向の中央部が前方から見て他のシール貼付部と重なることがないように配置されている。
【００２９】
この実施の形態による第１〜第９のシール貼付部２２〜３０には、図５に示すように、予め絵柄３４が印刷されている。しかし、これらの第１〜第９のシール貼付部２２〜３０には、図７に示すように、粘着シール４を貼り付けることができる。図７に示す形態においては、第１〜第９のシール貼付部２２〜３０のうち前方から見て中央部分に位置する第５、第７のシール貼付部２６，２８にキャラクターシール４Ａが貼り付けられている。また、その近傍の第６、第８のシール貼付部２７，２９にアイテムシール４Ｂが貼り付けられ、第９のシール貼付部３０に背景シール４Ｃが貼り付けられている。
【００３０】
この実施の形態による前記第１〜第９のシール貼付部２２〜３０は、前記台紙本体部２に設けられている平板状部分３１の一部を切り起こすことによって形成されている。このため、この実施の形態によれば、第１〜第９のシール貼付部２２〜３０を簡単に起立させることができるから、組立が容易な粘着シール用台紙を提供することができる。
【００３１】
この実施の形態による前記第１〜第９のシール貼付部２２〜３０のうち、相対的に後側に位置するシール貼付部は、相対的に前側に位置するシール貼付部とは前方から見て重なることがないように左右方向において異なる位置に設けられている。このため、後側に位置する粘着シール４が前側の粘着シール４によって大きく遮られることはない。したがって、この実施の形態によれば、見る者に立体感をより一層強く感じさせることが可能な粘着シール用台紙を提供することができる。
【００３２】
この実施の形態による前記平板状部分３１は、後上がりに傾斜している。このため、この実施の形態によれば、後側に位置するシール貼付部が前側に位置するシール貼付部より高い位置に配置される。このため、遠近感が増し、より一層立体的に見える粘着シール用台紙を提供することができる。
なお、上述した各実施の形態においては、前記台紙本体部２を箱状に形成する例を示したが、本考案はこのような限定にとらわれることはない。台紙本体部２は、図示してはいないが、額縁や家などの立体物の模型や、粘着シール４の絵柄と関連した立体物の模型とすることができる。
【符号の説明】
【００３３】
１，２１…粘着シール用台紙、２…台紙本体部、４…粘着シール、１３，１４…側壁部、１５…上壁部、１６…前側シール貼付部、１６ａ，１７ａ，２２ａ〜３０ａ…貼付面、１７…後側シール貼付部、１８…背景部、２２〜３０…第１〜第９のシール貼付部、３１…平板状部分、３２…スリット。
【図１】
0003176813.tif 000003
【図２】
0003176813.tif 000004
【図３】
0003176813.tif 000005
【図４】
0003176813.tif 000006
【図５】
0003176813.tif 000007
【図６】
0003176813.tif 000008
【図７】
0003176813.tif 000009